(57)【特許請求の範囲】
【請求項１】
基端縁を有する第１部分、および、この第１部分につながり、先端縁を有する所定幅の第２部分を有するベース板と、
基端縁を有する第１部分、および、この第１部分につながり、先端縁を有する第２部分を有し、基端縁において上記ベース板の基端縁に対して回動可能に連結された押さえ板と、を備えた布地のひだを形成するための手芸用クリップであって、
上記ベース板と上記押さえ板とは、それぞれの第１部分どうし、および第２部分どうしが重合するようにして折り畳み可能とされており、
上記押さえ板の第２部分には、その先端縁から基端縁に向けて延びる少なくとも１つのスリットが形成されていることを特徴とする、手芸用クリップ。
【請求項２】
上記押さえ板の第２部分に形成される上記スリットとしては、上記ベース板と上記押さえ板とが重合する状態において、上記ベース板の第２部分の幅方向の中央に位置するものが含まれる、請求項１に記載の手芸用クリップ。
【請求項３】
上記ベース板の第２部分には、その先端縁から基端縁に向けて延びる少なくとも１つのスリットが形成されている、請求項１または２に記載の手芸用クリップ。
【請求項４】
上記ベース板の第２部分に形成されるスリットとしては、当該第２部分の幅方向の中央に位置するものが含まれる、請求項３に記載の手芸用クリップ。
【請求項５】
上記ベース板と上記押さえ板とが重合する状態を維持するためのロック手段をさらに備える、請求項１に記載の手芸用クリップ。
【請求項６】
上記ロック手段は、上記ベース板および押さえ板のそれぞれの第１部分のうち、一方に形成された貫通孔と、他方に形成され、上記貫通孔に嵌合する突部とを備え、かつ上記貫通孔に上記突部が嵌合した際に、当該嵌合部分に設けられた段部が係合するように構成されている、請求項５に記載の手芸用クリップ。
【請求項７】
上記突部の先端は、上記貫通孔に嵌合した際に上記貫通孔の端部より外方に突出する、請求項６に記載の手芸用クリップ。
【請求項８】
上記ベース板および押さえ板のそれぞれの第２部分のうち、これらの部分が重合する際に対向する表面には、幅方向に沿って延びる突起が形成されている、請求項１ないし７のいずれかに記載の手芸用クリップ。
【発明の詳細な説明】
【技術分野】
【０００１】
本発明は、パッチワークなどの手芸の分野で好適に用いられる手芸用クリップに関する。
【背景技術】
【０００２】
パッチワークなどの手芸の分野において、装飾効果に優れた手法の一つとしてパフキルトと呼称されるものが知られている。パフキルトは、一般に、四角形のキルト材料（パフ）を複数用いて構成されている。パフは、ベースとなる布地にひだを寄せた布地を重ね、これら２枚の布地を縫い合わせて作成され、ひだの折り方によって種々のデザインパターンを形成することができ、また、好みに応じて内部に綿を詰めるなどして立体的な膨らみをもたすこともできる。パフを作成する際には、たとえば、大きさの異なる正方形の布地を二枚用意し、大きい方の布地の四辺のそれぞれにひだを寄せて小さい布地と同じサイズに揃え、当該ひだを待針で仮止めする。次いで、二枚の布地を重ね、縫い代を設けて周囲を縫い合わせる。パフの内部に綿を詰める場合には、たとえば、全周を縫い閉じずに一部に綿を挿入するための開口を設けておき、当該開口を通じて縫い合わせた布地を裏返し、綿を詰めた後に当該開口を縫い閉じる。このようにして作成されたパフは、本願の図１１に示すように、上面側に膨らみを有する形状となる。パフキルトは、このようなパフを複数組み合わせて、その縁どうしで縫い合わせる、あるいは土台となる別の布地に縫い付けることにより作成される。
【０００３】
パフキルトの作成においては、デザインに応じてパフを多数使用する場合がある。この場合、多数のパフについて、ひだのサイズや形態が揃うように作成するのは困難であり、これにはある程度の熟練が必要とされていた。
【発明の開示】
【発明が解決しようとする課題】
【０００４】
本発明は、このような事情のもとで考え出されたものであって、パフなどのひだを寄せたキルト材料を作成するのに際し、布地の縁にほぼ一定サイズのひだを効率よく形成することができる手芸用クリップを提供することを課題とする。
【課題を解決するための手段】
【０００５】
上記の課題を解決するため、本発明では、次の技術的手段を講じている。
【０００６】
本発明によって提供される手芸用クリップは、基端縁を有する第１部分、および、この第１部分につながり、先端縁を有する所定幅の第２部分を有するベース板と、基端縁を有する第１部分、および、この第１部分につながり、先端縁を有する第２部分を有し、基端縁において上記ベース板の基端縁に対して回動可能に連結された押さえ板と、を備えた布地のひだを形成するための手芸用クリップであって、上記ベース板と上記押さえ板とは、それぞれの第１部分どうし、および第２部分どうしが重合するようにして折り畳み可能とされており、上記押さえ板の第２部分には、その先端縁から基端縁に向けて延びる少なくとも１つのスリットが形成されていることを特徴としている。
【０００７】
本発明の好ましい実施の形態においては、上記押さえ板の第２部分に形成される上記スリットとしては、上記ベース板と上記押さえ板とが重合する状態において、上記ベース板の第２部分の幅方向の中央に位置するものが含まれる。
【０００８】
本発明の好ましい実施の形態においては、上記ベース板の第２部分には、その先端縁から基端縁に向けて延びる少なくとも１つのスリットが形成されている。
【０００９】
本発明の好ましい実施の形態においては、上記ベース板の第２部分に形成されるスリットとしては、当該第２部分の幅方向の中央に位置するものが含まれる。
【００１０】
本発明の好ましい実施の形態においては、上記ベース板と上記押さえ板とが重合する状態を維持するためのロック手段をさらに備える。
【００１１】
本発明の好ましい実施の形態においては、上記ロック手段は、上記ベース板および押さえ板のそれぞれの第１部分のうち、一方に形成された貫通孔と、他方に形成され、上記貫通孔に嵌合する突部とを備え、かつ上記貫通孔に上記突部が嵌合した際に、当該嵌合部分に設けられた段部が係合するように構成されている。
【００１２】
本発明の好ましい実施の形態においては、上記突部の先端は、上記貫通孔に嵌合した際に上記貫通孔の端部より外方に突出する。
【００１３】
本発明の好ましい実施の形態においては、上記ベース板および押さえ板のそれぞれの第２部分のうち、これらの部分が重合する際に対向する表面には、幅方向に沿って延びる突起が形成されている。
【００１４】
本発明のその他の特徴および利点は、添付図面を参照して以下に行う詳細な説明によって、より明らかとなろう。
【発明を実施するための最良の形態】
【００１５】
以下、本発明の好ましい実施の形態について、図面を参照して具体的に説明する。
【００１６】
図１は、本発明に係る手芸用クリップの一例を示す平面図である。図２は図１のII−II線に沿う断面図である。図１に示すように、本実施形態の手芸用クリップＡ１は、ベース板１と、押さえ板２と、ロック手段Ｌ（図４参照）とを備えて構成されており、たとえばポリプロピレンなどの所定の強度を有する合成樹脂により一体形成されたものである。この手芸用クリップＡ１は、たとえばパフなどのキルト材料を作成するのに際し、布地の縁にひだを寄せるために用いるものである。
【００１７】
ベース板１は、所定の厚みを有する薄板状の基部１１と、この基部１１につながるクリップ片１２とを有する。基部１１は、作業者が把持しやすくするために幅方向（図１における左右方向）において比較的幅広に張り出した形状とされている。また、基部１１のほぼ中央には、厚み方向に貫通する略楕円形の貫通孔１３が形成されている。図２によく表れているように、貫通孔１３の下端寄りには、貫通孔１３の内面一周にわたって窪む係合段部１３１が形成されている。
【００１８】
クリップ片１２は、基部１１の一端から先端側に向けて延びており、所定の幅および長さを有する。クリップ片１２には、その先端縁から基部１１に向けて延びる所定幅の３本のスリット１２１〜１２３が形成されている。本実施形態では、スリット１２１は、クリップ片１２の幅方向の中央に設けられており、スリット１２２，１２３は、スリット１２１から同じ距離隔てた位置に設けられている。また、図１および図２に表れているように、クリップ片１２の上面および下面には、幅方向に沿って延びる滑り止め用の複数ずつの突起１２４，１２５が形成されている。
【００１９】
押さえ板２は、主板部２１と、この主板部２１につながるクリップ片２２とを有する。主板部２１は、上記ベース板１の基部１１とほぼ同程度の厚みを有し、基部１１の基端縁に対し、幅方向に沿って薄肉状とされた連結部３を介して連結されている。これにより、押さえ板２は、ベース板１に対し連結部３において回動可能となっている。主板部２１のほぼ中央には略楕円形の突部２３が形成されている。この突部２３は、平面視においてベース板１の貫通孔１３に比べて僅かに小さいサイズとされており、押さえ板２をベース板１側に折り曲げた際に、貫通孔１３に嵌合するようになっている。これにより、図３および図４に表れているように、押さえ板２は、ベース板１に対し、主板部２１および基部１１、ならびにクリップ片２２およびクリップ片１２が、それぞれ重合するように折り畳むことが可能となっている。また、突部２３の高さは、上記基部１１の厚みより大とされている。このため、突部２３が貫通孔１３に嵌合した際には、当該突部２３の先端は貫通孔１３の下端部より外方に突出している。突部２３の先端寄りには、突部２３の外面一周にわたって突出する係合段部２３１が形成されている。
【００２０】
クリップ片２２は、主板部２１の一端から先端側に向けて延びており、所定の幅および長さを有する。クリップ片２２の幅は上記ベース板１のクリップ片１２の幅よりも小とされ、クリップ片２２の長さはクリップ片１２の長さとほぼ同一とされている。クリップ片２２には、その先端縁から主板部２１に向けて延びる所定幅のスリット２２１が形成されている。スリット２２１は、クリップ片２２の幅方向の中央に設けられている。また、クリップ片２２の幅方向の中央位置とクリップ片１２の幅方向の中央位置とは一致している。これにより、図３に表れているように、クリップ片２２とクリップ片１２とが重合する状態においては、クリップ片２２のスリット２２１は、クリップ片１２の中央に位置するとともにスリット１２１と連通している。また、図１に表れているように、クリップ片２２の上面には、幅方向に沿って延びる滑り止め用の複数の突起２２２が形成されている。
【００２１】
ロック手段Ｌは、ベース板１と押さえ板２とが重合する状態を維持するためのものであり、ベース板１の貫通孔１３の内面に形成された係合段部１３１と、押さえ板２の突部２３の外面に形成された係合段部２３１とが、当該ロック手段Ｌを担う部分である。押さえ板２をベース板１に重ねる際には、突部２３が貫通孔１３に案内される。ここで、所定以上の荷重で押さえ板２をベース板１に押し付けると、係合段部２３１が僅かに弾性変形しながら貫通孔１３内周を通過し、係合段部１３１と係合する。このとき、ベース板１の基部１１と押さえ板２の主板部２１とは重合しており、この重合する状態においては、押さえ板２がベース板１に対して離間する方向への移動が規制される。
【００２２】
次に、上述の如く構成された手芸用クリップＡ１を用いてパフを作成する方法について、図５〜図１０を参照して説明する。なお、ここでは、４つの手芸用クリップＡ１を使用して、基本形のパフを作成する場合について説明する。
【００２３】
まず、パフの材料となる大きさの異なる二枚の正方形の布を切り出す。サイズの大きい布（以下、トップ布Ｃ１という）は、ひだが形成される方であり、最終的にパフの上面側に位置するものである。サイズの小さい布（以下、ベース布Ｃ２という）は、ひだが形成されたトップ布Ｃ１に重ねて縫い合わされるものである。
【００２４】
トップ布Ｃ１およびベース布Ｃ２の切り出しは、たとえば図示しないテンプレートを用いれば効率よく行うことができる。テンプレートとしては、たとえば正方形の枠体とされ、その外周部がトップ布Ｃ１あるいはベース布Ｃ２と同一サイズの大小２種類のものを用いることができる。この場合、布地に対して上記２種類のテンプレートのそれぞれの外周部に沿って布地の裏側に印を入れ、当該印に沿って布地をカットすることにより、トップ布Ｃ１およびベース布Ｃ２をそれぞれ一定サイズのものとして得ることができる。また、ベース布Ｃ２用のテンプレートとしては、枠体の内周部に、縫い目線を入れるようにしておくと、便利である。
【００２５】
次に、手芸用クリップＡ１を用いてひだを寄せる。まず、トップ布Ｃ１を中表にして半分に折り、図５に表れているように、ベース板１の左右のスリット１２２，１２３を布の折り返された一辺の双方に差し込むとともに、布の上端を揃えて引き上げる。次いで、図６に表れているように、押さえ板２を起こしてベース板１上に折り畳む。ここで、押さえ板２のスリット２２１に折り返された二重の布が通るようにする。そして、押さえ板２の突部２３の裏側からベース板１側に押さえ付けることにより、突部２３の係合段部２３１が貫通孔１３の係合段部１３１に係合し、ロック手段Ｌが機能した状態となる。このとき、図７に示すように、トップ布Ｃ１には、手芸用クリップＡ１によってひだが形成されている。次いで、既に手芸用クリップＡ１を取り付けた辺の対辺についても同様にして手芸用クリップＡ１を用いてひだを寄せる。そして、残りの二辺についても同様にして手芸用クリップＡ１を取り付ける。図８は、トップ布Ｃ１に４つの手芸用クリップＡ１を取り付けた状態を示したものであり、（ａ）が表側、（ｂ）が裏側である。
【００２６】
次に、トップ布Ｃ１およびベース布Ｃ２を縫い合わせる。ここでは、まず、図９に示すようにトップ布Ｃ１とベース布Ｃ２とを中表にして重ね、次いで、図１０に示すように縫い代部分を待針Ｎで止める。ベース布Ｃ２には、たとえば縫い目線Ｍが記されており、この縫い目線Ｍに沿ってベース布Ｃ２およびトップ布Ｃ１を所定の範囲について縫い合わせる。本実施形態では、たとえば、図中の（１）を縫い始め位置とし、（２）を縫い終わり位置とする。縫い始め位置（１）と縫い終わり位置（２）の間は、縫われていない部分（開口Ｏ１）である。縫い方としては、たとえば、縫い始め部分と縫い終わり部分は返し縫いとし、その他の部分は並縫いとする。また、ミシン縫いあるいは手縫いのいずれでもよい。縫い作業が終了した後には、４つの手芸用クリップＡ１を取り外し、縫い代部分の不要箇所を切り落とす。
【００２７】
次に、開口Ｏ１を通じて縫い合わせた布を裏返し、当該開口Ｏ１から綿を挿入する。最後に、開口Ｏ１を縫い合わせる。このようにして、図１１に表された綿入りのパフＰが得られる。
【００２８】
本実施形態の手芸用クリップＡ１を用いて布にひだを寄せる際には、図７を参照すると理解できるように、ベース板１のクリップ片１２によって１つ目の折り返し部を規定することができ、また、押さえ板２のスリット２２１によって２つ目の折り返し部を規定することができる。このように、手芸用クリップＡ１を用いれば、ほぼ同一サイズのひだを、順次効率よく形成することができる。また、ベース板１の左右のスリット１２２，１２３によって、１つ目の折り返し部を形成するのが容易になる。
【００２９】
また、手芸用クリップＡ１にはロック手段Ｌが設けられている。このため、トップ布Ｃ１のひだを寄せた部分は、クリップ片１２，２２によって挟まれた状態が維持される。したがって、手芸用クリップＡ１がトップ布Ｃ１から不用意に脱落するといった不都合は回避される。
【００３０】
加えて、手芸用クリップＡ１においては、押さえ板２をベース板１に対して重ねるだけで係合段部１３１，２３１が係合し、ロック手段Ｌを機能させることができる。かかる構成によれば、手芸用クリップＡ１の使い勝手が良好になる。
【００３１】
手芸用クリップＡ１において、クリップ片１２，２２には複数ずつの突起１２４，１２５，２２２が設けられている。このため、クリップ片１２，２２と当該クリップ片１２，２２に挟まれたベース布Ｃ１とは、相対的に位置ずれが起こり難くなっている。したがって、かかる構成は、トップ布Ｃ１からの手芸用クリップＡ１の脱落を防止するのにより一層寄与する。
【００３２】
手芸用クリップＡ１においては、ロック手段Ｌが機能した状態では、突部２３の先端が貫通孔１３の端部より外方に突出するように構成されている。このため、ロック手段Ｌの解除は、釦状の突部２３先端を指で押さえることによって容易に行うことができる。かかる構成によれば、手芸用クリップＡ１の使い勝手が良好になる。
【００３３】
手芸用クリップＡ１のベース板１には、複数のスリット１２１〜１２３が形成されている。このため、これらスリット１２１〜１２３に対するトップ布Ｃ１の通し方によって複数種類の異なるバリエーションのひだを形成することができる。図１２は、上記した基本形とは異なるデザインのパフを作成する場合においてひだを寄せた状態のトップ布Ｃ１とクリップ片１２，２２との関係を示す。この場合、Ｓ字状に折り返されたひだが形成され、上記基本形とは異なるデザインのパフを得ることができる。
【００３４】
以上、本発明の実施形態を説明したが、本発明の技術的範囲は上記した実施形態に限定されるものではない。本発明に係る手芸用クリップの各部の具体的な構成は、発明の思想から逸脱しない範囲内で種々な変更が可能である。
【図面の簡単な説明】
【００３５】
【図１】本発明に係る手芸用クリップの一例を示す平面図である。
【図２】図１のII−II線に沿う断面図である。
【図３】図１に示す手芸用クリップの押さえ板をベース板に重合した状態を示す平面図である。
【図４】図３のIV−IV線に沿う断面図である。
【図５】図１に示す手芸用クリップの使用例の一部の手順を模式的に示す斜視図である。
【図６】図１に示す手芸用クリップの使用例の一部の手順を模式的に示す斜視図である。
【図７】図１に示す手芸用クリップによって布にひだを寄せた状態の一例を示す概略断面図である。
【図８】図１に示す手芸用クリップの使用例の一部の手順を模式的に示す平面的な図であり、（ａ）は表側、（ｂ）は裏側である。
【図９】図１に示す手芸用クリップの使用例の一部の手順を模式的に示す平面図である。
【図１０】図１に示す手芸用クリップの使用例の一部の手順を模式的に示す平面図である。
【図１１】図１に示す手芸用クリップを使用して作成されたキルト材料の一例を示す斜視図である。
【図１２】図１に示す手芸用クリップによって布にひだを寄せた状態の他の例を示す概略断面図である。
【符号の説明】
【００３６】
Ａ１      手芸用クリップ
Ｃ１      トップ布（布地）
Ｌ        ロック手段
Ｏ１      開口
１        ベース板
２        押さえ板
１１      基部（ベース板の第１部分）
１２      クリップ片（ベース板の第２部分）
１３      貫通孔
２１      主板部（押さえ板の第１部分）
２２      クリップ片（押さえ板の第２部分）
２３      突部
１２１〜１２３    （ベース板の第２部分に形成される）スリット
１２４    （ベース板の第２部分に形成される）突起
１３１    係合段部
２２１    （押さえ板の第２部分に形成される）スリット
２２２    （押さえ板の第２部分に形成される）突起
２３１    係合段部
【図１】
0004939336.tif 000002
【図２】
0004939336.tif 000003
【図３】
0004939336.tif 000004
【図４】
0004939336.tif 000005
【図５】
0004939336.tif 000006
【図６】
0004939336.tif 000007
【図７】
0004939336.tif 000008
【図８】
0004939336.tif 000009
【図９】
0004939336.tif 000010
【図１０】
0004939336.tif 000011
【図１１】
0004939336.tif 000012
【図１２】
0004939336.tif 000013